(57)【特許請求の範囲】
【請求項１】
床面と左右の壁面とを有する出入口に設置される止水装置であって、
少なくとも一方の前記壁面に設けられた支持手段と、
前記支持手段に支持された止水扉と、を備え、
前記支持手段は、ブラケットと、前記ブラケットに支持された支軸と、前記支軸の側方において前記ブラケットの上面に固定され、前記床面に対して前記止水扉の荷重がかからないように前記止水扉を支持する支持部材と、を有しており、
前記止水扉は、
前記壁面に沿うようにして配置される第１の位置にあるときに前記支持部材に支持され、
前記出入口を止水する第２の位置に達したときに、前記支持部材に支持される支持領域から外れて前記第１の位置にあるときよりも下方に移動した状態となって、前記出入口を止水することを特徴とする止水装置。
【請求項２】
前記止水扉に取り付けられる扉ブラケットと、
前記扉ブラケットに設けられ、前記支持部材に支持される支持片と、
前記支持部材に設けられる切欠部と、を備え、
前記第２の位置に前記止水扉が達したときに、前記切欠部に、前記支持片の外側面が係止されることを特徴とする請求項１に記載の止水装置。
【請求項３】
前記支持手段は、一方の前記壁面に設けられており、
前記止水扉は、一方の前記壁面から前記出入口を止水可能に他方の前記壁面に係止されることを特徴とする請求項１または請求項２に記載の止水装置。
【請求項４】
前記支持手段は、左右の前記壁面にそれぞれ設けられているとともに、前記止水扉は、前記各支持手段にそれぞれ支持されており、
さらに、前記止水扉同士は、前記第２の位置にある状態で相互に連結されることを特徴とする請求項１または請求項２に記載の止水装置。
【請求項５】
前記止水扉は、ヒンジ部を介して折畳み展開可能に設けられた複数の扉体を含んで構成されていることを特徴とする請求項４に記載の止水装置。
【請求項６】
前記止水扉は、前記第２の位置にあるときに、前記出入口の外側へ向けて平面視で略く字状に突出していることを特徴とする請求項４または請求項５に記載の止水装置。
【請求項７】
前記止水扉は、アルミニウム合金製の中空押出形材を含んで構成されていることを特徴とする請求項１から請求項６のいずれか１項に記載の止水装置。
【発明の詳細な説明】
【技術分野】
【０００１】
本発明は、構造物の出入口、例えば、建物や駐車場の出入口、地下鉄や地下街等の地下施設の出入口等に設置される止水装置に関するものである。
【背景技術】
【０００２】
近年、このような構造物の出入口においては、大雨や高潮等により発生する増水に対処するために、浸水を防止するための止水装置の設置が増えている。
従来、このような止水装置としては、次の特許文献１，２に記載されたものが知られている。
特許文献１に記載された止水装置は、出入口の両側壁にそれぞれ連結された２枚の止水パネルを備えている。使用時には、２枚の止水パネルを出入口の外側に向けて膨出した状態で連結し、その後、ハンドルを回転操作することで、２枚の止水パネルを下降させて出入口の床面に密着させている。
【０００３】
また、特許文献２に記載された止水装置は、適度の高さと長さを有して中央から折畳み可能な止水枠を備えている。そして、使用時には、止水枠を展開してフック部材を係着することで、止水枠を一直線状に固定し、これを出入口の内側にセットしている。
【先行技術文献】
【特許文献】
【０００４】
【特許文献１】特開２００２−３０８６７号公報
【特許文献２】特開２００４−６８５６７号公報
【発明の概要】
【発明が解決しようとする課題】
【０００５】
特許文献１の止水装置では、使用時に、２枚の止水パネルを出入口の外側に向けて膨出した状態で連結した後、さらに、ハンドルを回転操作して２枚の止水パネルを床面に密着させる必要がある。このため、設置に時間を要し、設置作業が煩雑であるという問題があった。
この点、特許文献２の止水装置では、使用時に、展開した止水枠にフック部材を係着してこれを一直線状に固定し、出入口の内側にセットする作業を行えばよいので設置が簡単であるが、簡易な構造とするために高さが１０ｃｍ程度に抑えられているので、浸水を十分に防止することができない。
【０００６】
このような観点から、本発明は、短時間で設置することができ、しかも、設置作業が簡単で浸水を十分に防止することができる止水装置を提供することを課題とする。
【課題を解決するための手段】
【０００７】
このような課題を解決する本発明に係る止水装置は、床面と左右の壁面とを有する出入口に設置される止水装置であって、少なくとも一方の前記壁面に設けられた支持手段と、前記支持手段に支持された止水扉と、を備え、前記支持手段は、ブラケットと、前記ブラケットに支持された支軸と、前記支軸の側方において前記ブラケットの上面に固定され、前記床面に対して前記止水扉の荷重がかからないように前記止水扉を支持する支持部材と、を有しており、前記止水扉は、前記壁面に沿うようにして配置される第１の位置にあるときに前記支持部材に支持され、前記出入口を止水する第２の位置に達したときに、前記支持部材に支持される支持領域から外れて前記第１の位置にあるときよりも下方に移動した状態となって、前記出入口を止水することを特徴とする。
【０００８】
この止水装置によれば、止水扉は、壁面に沿うようにして配置される第１の位置にあるときに、床面に対して止水扉の荷重がかからないように、支軸の側方においてブラケットの上面に固定された支持部材に支持されており、出入口を止水する第２の位置に達したときに、支持部材に支持される支持領域から外れて第１の位置にあるときよりも下方に移動した状態となって出入口を止水するように構成されているので、第１の位置から第２の位置に達するまでの間は、床面に対して止水扉の荷重がかからない状態となる。したがって、第１の位置から第２の位置に達するまでの間は揺動時に止水扉が床面に擦れることがない。したがって、第２の位置に止水扉をスムーズに閉じることができる。
これにより、増水時等に短時間で出入口を閉じることができ、しかも、止水扉を閉じる作業や、閉じた後に止水扉を開く作業が簡単で、浸水を十分に防止することができる止水装置が得られる。
また、本発明の止水装置においては、前記止水扉に取り付けられる扉ブラケットと、前記扉ブラケットに設けられ、前記支持部材に支持される支持片と、前記支持部材に設けられる切欠部と、を備え、前記第２の位置に前記止水扉が達したときに、前記切欠部に、前記支持片の外側面が係止されるように構成するとよい。
【０００９】
また、本発明の止水装置においては、前記支持手段が、一方の前記壁面に設けられており、前記止水扉は、一方の前記壁面から前記出入口を止水可能に他方の前記壁面に係止されるように構成するとよい。
【００１０】
このように構成することにより、止水扉を一方の壁面にのみ設置すればよいので、左右の壁面に分割して設置する場合に比べて、設置に係る工数を低減することができ、施工性において有利となる。
【００１１】
本発明に係る止水装置においては、前記支持手段は、左右の前記壁面にそれぞれ設けられているとともに、前記止水扉は、前記各支持手段にそれぞれ支持されており、さらに、前記止水扉同士は、前記第２の位置にある状態で相互に連結されるように構成するとよい。
【００１２】
このように構成することにより、止水扉を左右の壁面に分割して設置することができ、一方の壁面にのみ設けた場合に比べて、一枚あたりの止水扉の大きさを小さくすることが可能となり、軽量化、省スペース化を図ることができる。
【００１３】
また、この場合において、止水扉は、ヒンジ部を介して折畳み展開可能に複数の扉体を含んで構成してもよい。
このように構成することにより、複数の扉体からなる止水扉を一方の壁面に省スペース化を図りつつ設置することができ、また、左右の壁面に分割して設置する場合に比べて、設置に係る工数を低減することが可能となって施工性にも優れる。
【００１４】
また、本発明は、前記止水扉が、前記第２の位置にあるときに、前記出入口の外側へ向けて平面視で略く字状に突出している構成とするのがよい。
【００１５】
この止水装置によれば、止水扉が出入口の外側へ向けて平面視で略く字状に突出しているので、出入口の外側へ向けて突出していないもの、例えば、平面視で直線上である場合や平面視で略逆く字状に凹んでいる場合等に比べて、出入口の外側からの水圧に対して強く、止水効果が高まる。したがって、増水等により建築物の出入口に外側から水が押し寄せてきたとしても、これを堰き止めることができ、出入口から建築物内部への浸水を防止することができる。
【００１６】
また、前記止水扉が、アルミニウム合金製の中空押出形材を含んで構成されている場合には、止水扉を容易に製造することができる。また、アルミニウムまたはアルミニウム合金製の押出形材は、寸法精度が高く、また、強度の割に軽量である。
【発明の効果】
【００１７】
本発明によれば、短時間で設置することができ、しかも、設置作業が簡単で浸水を十分に防止することができる止水装置が得られる。
【図面の簡単な説明】
【００１８】
【図１】本発明の第１実施形態に係る止水装置を示す図であり、（ａ）は止水扉を展開して設置した状態を正面側から見た斜視図、（ｂ）は止水扉を閉じて出入口の壁面に収容した状態を正面側から見た斜視図である。
【図２】（ａ）は止水扉を展開して設置した状態を示す模式平面図、（ｂ）は模式正面図、（ｃ）は模式背面図である。
【図３】（ａ）は支持部材に支持されている状態の止水扉の様子を部分的に示す背面図、（ｂ）は支持部材による支持が解除された状態の止水扉の様子を部分的に示す背面図である。
【図４】支持部分の構造を示す分解斜視図である。
【図５】（ａ）は支持部分の構造を示す平断面図、（ｂ）は支持部分の構造を示す背面図である。
【図６】（ａ）は第１の位置に止水扉があるときの支持部分の様子を示す斜視図、（ｂ）は第１の位置と第２の位置との間に止水扉が位置しているときの支持部分の様子を示す斜視図、（ｃ）は第２の位置に止水扉が揺動されたときの支持部分の様子を示す斜視図である。
【図７】（ａ）は止水扉の先端部の構造を示す平断面図、（ｂ）は止水扉の先端部同士の係止状態を示す平断面図、（ｃ）は止水扉の下端部の構造を示す断面図、（ｄ）は床面に当接した状態を示す断面図である。
【図８】（ａ）（ｂ）は止水扉の先端部に係止部材を係止する際の様子を示す説明図である。
【図９】本発明の第２実施形態に係る止水装置を示す図であり、（ａ）は止水扉を展開して設置した状態を示す模式平面図、（ｂ）は模式正面図、（ｃ）は模式背面図である。
【図１０】止水扉の連結部分の構造を示す図であり、（ａ）は折り畳まれた状態の部分拡大平断面図、（ｂ）は展開した状態の部分拡大平断面図、（ｃ）は展開した状態を正面側から見た説明図である。
【図１１】（ａ）〜（ｆ）は他方の壁面に対する止水扉の取り付け構造を示す説明図である。
【図１２】第２実施形態に係る止水装置の変形例を示す図であり、（ａ）は止水扉を展開して設置した状態を示す模式平面図、（ｂ）は模式正面図、（ｃ）は模式背面図である。
【図１３】止水扉の連結部分の構造を示す図であり、（ａ）は折り畳まれた状態の部分拡大平断面図、（ｂ）は展開した状態の部分拡大平断面図、（ｃ）は展開して先端部同士を当接した状態の部分拡大平断面図、（ｄ）は先端部の上端を示した斜視図である。
【図１４】（ａ）（ｂ）は他方の壁面に対する止水扉のその他の取り付け構造を示す拡大平面図である。
【図１５】本発明の止水装置のその他の例を示す図であり、（ａ）は壁面に沿って止水扉が折り畳まれて止水扉が第１の位置にある状態を示す模式平面図、（ｂ）は第１の位置から止水扉が引き出されたときの様子を示す模式平面図、（ｃ）は展開途中の止水扉の様子を示す模式平面図、（ｄ）は展開されて止水扉が第２の位置にある状態を示す模式平面図、（ｅ）は図１５（ｄ）において破線円で囲んだ止水扉の基端部側の構造を示す模式平面図である。
【発明を実施するための形態】
【００１９】
以下、図面を参照して、本発明の実施の形態について詳細に説明する。なお、同一の要素には同一の符号を付し、重複する説明は省略する。また、以下の実施形態においては、構造物として地下鉄の出入口に止水装置を設置した例について説明するが、止水装置が設置される構造物を限定する趣旨ではない。なお、以下の説明において、「前後左右」は、図１（ａ）（ｂ）において図示した方向を基準とする。
【００２０】
（第１実施形態）
参照する図面において、図１（ａ）（ｂ）に示すように、本実施形態の止水装置は、床面Ｆと２つの壁面Ｗ１，Ｗ２とを有する地下鉄の出入口に設置されるものであり、支持手段１０Ａ，１０Ｂと、これらの支持手段１０Ａ，１０Ｂにそれぞれ支持された２つの止水扉２０Ａ，２０Ｂとを備えており、止水扉２０Ａ，２０Ｂが、支持手段１０Ａ，１０Ｂに支持されて、壁面Ｗ１，Ｗ２に沿うようにして配置される第１の位置から、出入口を止水する第２の位置に達する範囲で回動可能に構成されている。以下では、この範囲における止水扉２０Ａ，２０Ｂの回動を「揺動」と称して説明する。
【００２１】
本実施形態では、支持手段１０Ａ，１０Ｂおよび止水扉２０Ａ，２０Ｂが、左右対称である点を除いて同一の構造であるため、以下では、一方の壁面Ｗ１側に配置される支持手段１０Ａ、止水扉２０Ａについて説明し、適宜、他方の壁面Ｗ２側に配置される支持手段１０Ｂ、止水扉２０Ｂについて説明する。
【００２２】
支持手段１０Ａは、図２各図に示すように、止水扉２０Ａを揺動可能に支持するためのものであり、壁面Ｗ１に設けられている。支持手段１０Ａは、図３（ａ）に示すように、４つのブラケット１１ａ〜１１ｄと、これらのブラケット１１ａ〜１１ｄに支持された支軸１２と、支軸１２の軸方向において一番下に配置されるブラケット１１ｄに固定された支持部材（支持部）１３と、を有している。
ブラケット１１ａは、支軸１２の上端部を支持し、ブラケット１１ｂは、支軸１２の軸方向において中央部よりもやや下側部分を支持し、ブラケット１１ｃ，１１ｄは、支軸１２の下端部を支持している。これらのブラケット１１ａ〜１１ｄに支持された支軸１２は、止水扉２０Ａの基端側縦材２２に取り付けられた扉ブラケット２４，２５を揺動可能に枢支（保持）している。
【００２３】
ブラケット１１ａ〜１１ｄは、図４に示すように、角部が面取りされた平板状の支持部１１１と、この支持部１１１の端部に設けられたフランジ部１１２，１１２とをそれぞれ有しており、フランジ部１１２，１１２に設けられた横孔１１３，１１３に挿通される固定ボルト１１４，１１４で、壁面Ｗ１（図３（ａ）参照）にそれぞれ固定されるようになっている。なお、ブラケット１１ａ〜１１ｄは、図３（ａ）に示すように、薄板状の金属プレート１１６を介在させて壁面Ｗ１に固定されている。
ブラケット１１ａ〜１１ｄの各支持部１１１には、図４に示すように、支軸１２を貫通可能な縦孔１１５が形成されている。
また、支軸１２の軸方向において一番下に配置されるブラケット１１ｄの支持部１１１には、支持部材１３を固定するための３つのボルト穴１１１ｂが形成されている。
【００２４】
支軸１２は、ブラケット１１ａ〜１１ｄの各縦孔１１５を貫通してこれらに支持されるようになっている。止水扉２０Ａは、図３（ａ）に示すように、略Ｔ字形状の２つの扉ブラケット２４，２４と、略Ｌ字形状の扉ブラケット２５と、を介して支軸１２に揺動自在に枢支されている。
支軸１２の上下端部には、図４に示すように、雄ねじ１２１（支軸１２の下端側に設けられるもののみ図示）が形成されている。雄ねじ１２１には、ワッシャ１２２を介して２つのナット１２３，１２３がそれぞれ螺着可能であり、支軸１２は、ブラケット１１ａの上面側およびブラケット１１ｄの下面側から（図４では下面側のみ図示）、ワッシャ１２２を介して２つのナット１２３，１２３がそれぞれ螺着されることで、各ブラケット１１ａ〜１１ｄに支持される状態に固定されている。
【００２５】
支持部材１３は、図４に示すように、一番下に配置されるブラケット１１ｄの上面１１１ａの後部に３つの固定ボルト１３１で固定される板状の部材である。支持部材１３は、支軸１２周りに揺動する扉ブラケット２５の揺動軌跡上に位置しており、ブラケット１１ｄの上面１１１ａよりも支持部材１３の板厚分だけ高い位置で、扉ブラケット２５を支持するようになっている。
支持部材１３の上面１３ａには、３つのボルト挿入孔１３２ｃが開口しており、上面１３ａは、これらのボルト挿入孔１３２ｃを除いて、略平らな面に形成されている。これによって、止水扉２０Ａは、扉ブラケット２５を介して、支持部材１３の上面１３ａ上を水平方向に揺動可能となっている。
本実施形態では、止水扉２０Ａが、壁面Ｗ１に沿うようにして配置される第１の位置にあるときに、支持部材１３に支持されるように構成されている。
【００２６】
支持部材１３の前部側には、略Ｖ字形に切り欠かれた切欠部１３２が形成されている。切欠部１３２は、扉ブラケット２５の支持片２６の外側面２６ａ，２６ｂに対応する直交した２つの内面１３２ａ，１３２ｂを有しており、支軸１２周りに揺動してきた扉ブラケット２５の支持片２６が係止可能となっている。本実施形態では、支持片２６が支持部材１３の上面１３ａから外れて、切欠部１３２に係止された状態で、出入口を止水する第２の位置に止水扉２０Ａが配置されるように構成してある。
【００２７】
ここで、支持片２６が切欠部１３２に係止されると、支持片２６の外側面２６ａ，２６ｂが切欠部１３２の内面１３２ａ，１３２ｂに当接した状態（部分的に当接した状態）となり、この当接によって止水扉２０Ａの揺動が規制され、止水扉２０Ａが第２の位置に位置決めされるようになっている。
なお、このことは止水扉２０Ｂ側においても同様であり、支持部材１３の上面１３ａから扉ブラケット２５の支持片２６が外れてこれが切欠部１３２に係止されると、支持片２６の外側面２６ａ，２６ｂが切欠部１３２の内面１３２ａ，１３２ｂに当接した状態となり、この当接によって止水扉２０Ｂの揺動が規制されて、止水扉２０Ｂが第２の位置に位置決めされるようになっている。
【００２８】
このように第２の位置に止水扉２０Ａ，２０Ｂが位置決めされた状態で、止水扉２０Ａ，２０Ｂは、図２（ａ）に示すように、支軸１２に支持される側を基端部側としたときに、これとは反対側となる先端部側が、出入口の前後方向において、支軸１２が設けられる位置よりも前側に位置している。つまり、止水扉２０Ａ，２０Ｂは、第２の位置に位置決めされた状態で、出入口の外側に向けて平面視で略く字状（山形形状）に出っ張るように構成されている。
【００２９】
止水扉２０Ａは、図２（ｂ）（ｃ）に示すように、主として、平板状の横長の扉体２１を上下方向に複数枚積み上げてなり、出入口を止水可能な高さを備えて構成されている。各扉体２１は、アルミニウム合金製の中空押出形材からなり、長手方向両側が基端側縦材２２と先端側縦材２３とで保持されている。なお、止水扉２０Ａ（２０Ｂ）は、複数枚の扉体２１から構成されたものに限られることはなく、面積の広く形成された（高さを有する）一枚の扉体によって構成してもよい。
また、扉体２１は、平板状の木材や合成樹脂材を複数枚上下方向に積み上げて一体的に構成してもよい。
【００３０】
基端側縦材２２は、図５（ａ）に示すように、平断面形状が略コ字形状を呈しており、各扉体２１の基端側を保持するように基端側方から装着されて、リベット２１ｂ（図３（ａ）参照）により各扉体２１に対して固定されている。基端側縦材２２の側方には、図３（ａ）に示すように、略Ｔ字形状の扉ブラケット２４および略Ｌ字形状の扉ブラケット２５が固定されており、このうち、扉ブラケット２４，２４は、図示しないボルトで基端側縦材２２に固定され、ブラケット１１ａとブラケット１１ｂとの間において支軸１２に枢支されている。
また、扉ブラケット２５は、ブラケット１１ｃとブラケット１１ｄとの間において支軸１２に枢支されている。
【００３１】
扉ブラケット２５は、図５（ａ）に示すように、基端側縦材２２の側方において、２本のボルト２５ｂとナット２５ｃとの締結により固定される基部２５ａと、この基部２５ａに連続して設けられた支持片２６とを備えている。
ここで、図５（ｂ）に示すように、床面Ｆから扉ブラケット２５の底面２６ｄまでの高さｈ２は、床面Ｆから支持部材１３の上面１３ａまでの高さｈ１よりも低く、かつ、床面Ｆからブラケット１１ｄの上面１１１ａまでの高さｈ３よりも高くなるように設定されている。すなわち、支持部材１３の上面１３ａに扉ブラケット２５が支持された状態では、高さｈ１＞高さｈ２であることから、止水扉２０Ａは、床面Ｆに対して止水扉２０Ａの荷重がかかる状態に当接することがなく、高さｈ２に浮き代Ｓ２を加えた高さｈ１で支持されるようになっている。したがって、止水扉２０Ａは、支持部材１３の上面１３ａに扉ブラケット２５が位置する状態で、床面Ｆから浮くようにして揺動することとなる（図６（ａ）（ｂ）参照）。
【００３２】
一方、止水扉２０Ａが揺動して、支持部材１３の上面１３ａ（支持領域）から扉ブラケット２５の支持片２６が外れて第１の位置にあるときよりも下方に移動した状態となって、支持部材１３の切欠部１３２に支持片２６が係止された状態（図６（ｃ）参照）では、ｈ２＞ｈ３であることから、ブラケット１１ｄの上面１１１ａと扉ブラケット２５の支持片２６の底面２６ｄとの間に、止水扉２０Ａが床面Ｆに当接するのを確保するための余裕代として機能する隙間Ｓ１が形成されることとなる（図５（ｂ）参照）。したがって、止水扉２０Ａは、支持部材１３の上面１３ａから扉ブラケット２５が外れた際に、図３（ｂ）、図５（ｂ）に示すように、自重によって床面Ｆに確実に当接することとなる。
【００３３】
ここで、止水扉２０Ａの下端には、図７（ｃ）に示すように、断面略コ字形状の取付部材２８を介して止水扉２０を床面Ｆに止水するための下端パッキン２９が取り付けられている。下端パッキン２９は、内部に中空部２９ａを有して下部が下方へ向けて膨出しており、本実施形態では、前記したように、支持部材１３の上面１３ａを扉ブラケット２５が揺動する状態で、この下端パッキン２９の下部が、止水扉２０Ａの揺動の抵抗とならない程度に床面Ｆに接触するように設定されている。このような下端パッキン２９は、取付部材２８の係合片２８ａに溝部２９ｃを係合させて取り付けられており、取付部材２８の中空部に図示しないねじ等によって固定された押え部材２８ｂで、基部２９ｂ側が押えられるようにして固定されている。これにより、下端パッキン２９の変形が好適に抑えられるようになっている。
なお、支持部材１３の上面１３ａを扉ブラケット２５が揺動する状態で、下端パッキン２９と床面Ｆとの間に隙間が形成されるように構成してもよい。
【００３４】
また、先端側縦材２３は、図７（ａ）に示すように、平面視で略コ字形状を呈しており、各扉体２１の先端側を保持するように先端側方から装着され、リベット２１ｂにより各扉体２１に対して固定されている。先端側縦材２３は、平面視で略Ｌ字形状とされた、前側縦材２３ａと後側縦材２３ｂとを部分的に重ね合わせて接合されてなる。
後側縦材２３ｂは、端部２３ｃが前方へ向けて延設されており、この端部２３ｃに、係止部材３０を係止するための係止孔２３ｄが形成されている。
また、後側縦材２３ｂの側部には、側方に向けて膨出するように形成されたシール部材１２４が設けられている。シール部材１２４は、後側縦材２３ｂの上下方向の全体に亘って設けられており、第２の位置に止水扉２０Ａ，２０Ｂが展開された状態で、対向するシール部材１２４，１２４同士が止水可能に密着するようになっている。
なお、シール部材１２４，１２４は、止水扉２０Ａ，２０Ｂが出入口の外側へ向けて平面視で略字状に突出しているので、増水時等に止水扉２０Ａ，２０Ｂが水圧を受けた際に、相互に当接する状態となり、密着性が高まるようになっている。
【００３５】
係止部材３０は、図７（ｂ）に示すように、例えば、１本の線材を折り曲げて形成されており、後側縦材２３ｂの端部２３ｃに設けられた係止孔２３ｄ，２３ｄに挿通可能な挿通部３１と、略Ｕ字形状に折り返された折返し部３２とを備えている。
このような係止部材３０は、図８（ａ）に示すように、一方の端部２３ｃの側方から挿通部３１を係止孔２３ｄに挿通し、これをさらに他方の端部２３ｃの係止孔２３ｄに挿通して端部２３ｃ，２３ｃに取り付けられる。そして、挿通部３１の軸線を中心として折返し部３２を下方へ回動させて、図８（ｂ）に示すように、折返し部３２で２つの端部２３ｃ，２３ｃを挟み込むようにして係止する。これにより、止水扉２０Ａ，２０Ｂの先端部同士が分離不能に係止されることとなる。
なお、係止部材３０は、図８（ｂ）に示すように、挿通部３１と折返し部３２との間に湾曲部３３を有しており、止水扉２０Ａ（２０Ｂ）の収容時には、端部２３ｃの係止孔２３ｄに湾曲部３３や折返し部３２を引っ掛けるようにして、端部２３ｃに係止部材３０を保持することができる。
本実施形態では、前記した後側縦材２３ｂの端部２３ｃが、止水扉２０Ａ（２０Ｂ）の上下方向に間隔を空けて２箇所設けられており、図１（ａ）に示すように、上下２箇所で係止部材３０，３０による係止が可能となっている。なお、係止部材３０の係止位置や係止個数は任意に設定することができる。また、端部２３ｃは、止水扉２０Ａ（２０Ｂ）の上下方向に連続して設けてもよい。このようにすることで、係止部材３０の配置の自由度が高まる。
【００３６】
以上のような止水装置は、図１（ｂ）に示すように、出入口の壁面Ｗ１，Ｗ２にカバー４０で覆われて収容される。カバー４０は、例えば、アルミニウム合金製の中空押出形材からなり、前カバー４１と、後カバー４２と、上カバー４３と、カバー４０の側方を覆う開閉カバー４４とを備えて構成されている。前カバー４１、後カバー４２、上カバー４３は、略同様の構成であり、例えば、前カバー４１は、図５（ａ）に示すように、壁面Ｗ１にアンカー４１ｅを用いて固定される平断面略コ字形状の固定部材４１ａと、固定部材４１ａに取り付けられるカバー部材４１ｂと、カバー部材４１ｂの後面に取り付けられるＬ字部材４１ｃと、Ｌ字部材４１ｃに規制されてカバー部材４１ｂの後面に取り付けられる、中空部を有した断面コ字形状の扉シール部材４１ｄとを備えて構成されている。
【００３７】
ここで、扉シール部材４１ｄは、第２の位置に止水扉２０Ａが位置決めされた状態で、止水扉２０Ａの前面に当接するようになっており、この当接によって、前カバー４１と止水扉２０Ａとの間がシールされるようになっている。なお、扉シール部材４１ｄは、中空部を有する平断面が略コ字形状とされており、中空部が止水扉２０Ａで仕切られる止水扉２０Ａの外側の領域に連通するように取り付けられているので、増水時に流れ込む水の水圧で、前カバー４１と止水扉２０Ａとの間に密着することとなり、止水扉２０Ａの内側への浸水を好適に防止するようになっている。
【００３８】
次に、止水扉２０Ａ，２０Ｂを展開して設置する（閉じる）際の手順について説明する。
はじめに、図１（ｂ）に示すように、カバー４０の開閉カバー４４を開き、止水扉２０Ａを露出させる。
次に、止水扉２０Ａを手で把持して、第１の位置にある止水扉２０Ａを手前側に引き出す。そうすると、支持部材１３の上面１３ａに支持されながら扉ブラケット２５が支軸１２周りに揺動し、止水扉２０Ａが床面Ｆ上に引き出される。
ここで、床面Ｆから扉ブラケット２５の底面２６ｄまでの高さｈ２は、床面Ｆから支持部材１３の上面１３ａまでの高さｈ１よりも低くなっているので（図５（ｂ）参照）、止水扉２０Ａは、床面Ｆに荷重をもって当接する状態（位置）よりも、浮き代Ｓ２分、上方に位置して支持部材１３上を揺動することとなる。したがって、引き出される際に、止水扉２０Ａが荷重をもって床面Ｆに摺れることがなく、スムーズな引き出しを実現することができる。
【００３９】
その後、支持部材１３の上面１３ａから外れる位置（支持領域から外れる位置）に扉ブラケット２５が揺動されると、止水扉２０Ａの自重により、扉ブラケット２５の支持片２６が支持部材１３の上面１３ａから外れて切欠部１３２に落し込まれるようにして係止される。これにより、止水扉２０Ａが第２の位置に位置決めされるとともに、止水扉２０Ａの自重により、止水扉２０Ａの下端パッキン２９が床面Ｆに当接して密着し、壁面Ｗ１側の出入口が止水扉２０Ａで止水されることとなる。
なお、第２の位置に止水扉２０Ａが位置決めされた状態で、止水扉２０Ａの前面に扉シール部材４１ｄが密着し、浸水が防止される。
【００４０】
その後、止水扉２０Ｂを同様の手順で引き出し、第２の位置に位置決めする。そして、係止部材３０で止水扉２０Ａ，２０Ｂの先端部同士を係止し、シール部材１２４，１２４同士を密着させる。これにより、図２（ａ）に示すように、止水扉２０Ａ，２０Ｂが、第２の位置に引き出された状態で、出入口の外側へ向けて平面視で略く字状に突出する状態に展開される。
【００４１】
次に、閉じた状態の止水扉２０Ａ，２０Ｂを開いて、壁面Ｗ１，Ｗ２側に収容する際の手順について説明する。
はじめに、係止部材３０を外して、止水扉２０Ａ，２０Ｂ同士の係止を解除する。その後、床面Ｆに荷重をもって当接している止水扉２０Ａを上方へ持ち上げて、支持部材１３の切欠部１３２から扉ブラケット２５の支持片２６を離脱させつつ、止水扉２０Ａを壁面Ｗ１に向けて若干閉じるように揺動する。これにより、支持部材１３の上方に扉ブラケット２５が位置する状態となり、この状態で、上方へ持ち上げていた止水扉２０Ａを降ろす。
【００４２】
そうすると、支持部材１３の上面１３ａに扉ブラケット２５が支持され、浮き代Ｓ２を有する状態に止水扉２０Ａが支持される。その後、壁面Ｗ１に向けて止水扉２０Ａを揺動させて止水扉２０Ａを第１の位置に収容する。
ここで、止水扉２０Ａは、浮き代Ｓ２を有して支持部材１３の上面１３ａを揺動するので、止水扉２０Ａが床面Ｆに荷重をもって摺れることがなく、スムーズな収容作業を実現することができる。
【００４３】
以上説明した本実施形態の止水装置によれば、止水扉２０Ａ（２０Ｂ）は、壁面Ｗ１，Ｗ２に沿うようにして配置される第１の位置にあるときに、床面Ｆに対して止水扉２０Ａ（２０Ｂ）の荷重がかからないように支持部材１３に支持されており、出入口を止水する第２の位置に達したときに、支持部材１３に支持される支持領域から外れて第１の位置にあるときよりも下方に移動した状態となって出入口を止水するように構成されているので、第１の位置から第２の位置に達するまで間は、床面Ｆに対して止水扉２０Ａ（２０Ｂ）の荷重がかからない状態となる。したがって、第１の位置から第２の位置に達するまでの間は揺動時に止水扉２０Ａ（２０Ｂ）が床面Ｆに擦れることがない。したがって、第２の位置に止水扉２０Ａ（２０Ｂ）をスムーズに閉じることができる。
これにより、増水時等に短時間で出入口を閉じることができ、しかも、止水扉２０Ａ（２０Ｂ）を閉じる作業や、閉じた後に止水扉２０Ａ（２０Ｂ）を開く作業が簡単で、浸水を十分に防止することができる止水装置が得られる。
【００４４】
また、本実施形態では、各壁面Ｗ１，Ｗ２に支持手段１０Ａ，１０Ｂを介して止水扉２０Ａ，２０Ｂを揺動可能に設け、止水扉２０Ａ，２０Ｂ同士が係止部材３０で連結されるように構成されているので、例えば、一方の壁面Ｗ１にのみ設けた場合に比べて、一枚あたりの止水扉２０Ａ（２０Ｂ）の大きさを小さくすることが可能となり、軽量化、省スペース化を図ることができる。
【００４５】
また、止水扉２０Ａ，２０Ｂが、第２の位置に位置決めされた状態で、出入口の外側へ向けて平面視で略く字状に突出しているので、出入口の外側へ向けて突出していないもの、例えば、平面視で直線上である場合や平面視で略逆く字状に凹んでいる場合等に比べて、出入口の外側からの水圧に対して強く、止水効果が高まる。したがって、増水等により建築物の出入口に外側から水が押し寄せてきたとしても、これを好適に堰き止めることができ、出入口から建築物内部への浸水を防止することができる。
【００４６】
また、止水扉２０Ａ，２０Ｂ（扉体２１）が、アルミニウム合金製の中空押出形材からなるので容易に製造することができる。また、アルミニウムまたはアルミニウム合金製の押出形材は、寸法精度が高く、また、強度の割に軽量である。
【００４７】
なお、本実施形態では、両壁面Ｗ１，Ｗ２に止水扉２０Ａ，２０Ｂを配置した例を示したが、出入口の大きさによっては、いずれか一方にのみ配置してもよい。
また、止水扉２０Ａ，２０Ｂの大きさ（幅）を、異なるものとしてもよい。
【００４８】
（第２実施形態）
次に、本発明の止水装置の第２実施形態について図９〜図１１を参照して説明する。
本実施形態では、図９（ａ）〜（ｃ）に示すように、止水扉２０Ａ，２０Ｂがヒンジ部５０を介して連結されており、これらが一方の壁面Ｗ１側に折り畳まれて配置され、出入口に引き出されて展開可能に設けられている点が前記第１実施形態と異なる。
止水扉２０Ａ，２０Ｂは、ヒンジ部５０を介して折畳み展開可能に連結されており、第１の位置となる壁面Ｗ１側に収容された状態では、止水扉２０Ａの内側に止水扉２０Ｂが位置するように折り疊まれている。
【００４９】
ヒンジ部５０は、図１０（ａ）に示すように、扉体２１，２１の各先端部に装着された先端側縦材２３１，２３１間に亘ってリベット２１ｂで固定されており、図１０（ａ）〜（ｃ）に示すように、止水扉２０Ａ，２０Ｂを折畳み展開可能に連結している。止水扉２０Ａの先端側縦材２３１における先端側方には、平断面が略Ｖ字形状に形成された止水パッキン２３２が取り付けられており、ヒンジ部５０を介して所定の角度に展開した止水扉２０Ｂの先端側縦材２３１に対して、図１０（ｂ）（ｃ）に示すように、止水パッキン２３２の他端面２３２ｂが当接するようになっている。
なお、止水扉２０Ａの前面には、図９（ｂ）に示すように、展開時等に把持するための把持部１２０が設けられている。
【００５０】
また、止水扉２０Ｂの端部には、締結部材６０（図９（ｃ）参照）が設けられている。締結部材６０は、図１１（ａ）（ｂ）に示すように、止水扉２０Ｂの端部に装着された断面略コ字形状の端部縦材１２６の後面に取り付けられる基板６２と、この基板６２に回動可能に支持された操作部材６３と、操作部材６３に回動可能に支持された掛金アーム６１とを有している。
一方、壁面Ｗ２には、薄板状の金属プレート１１７を介在させて締結部材６０に対応する位置にフック部材１１９が固定されている。フック部材１１９には、掛金アーム６１の先端に設けられた掛金部６１ａ（図１１（ｂ）参照）が係止可能である。
このような締結部材６０は、図１１（ｃ）（ｄ）に示すように、掛金アーム６１をフック部材１１９側に回動させて、フック部材１１９に掛金アーム６１を掛けた後に、掛金アーム６１の操作レバー６３ａを、図１１（ｅ）に示すように、太線矢印方向に回動させる。これにより、掛金アーム６１に装着されたばね６１ｂの付勢力を利用して、フック部材１１９に掛金アーム６１を係止することができる。また、フック部材１１９の上下には、止水扉２０Ｂの端部が当接するようにして係止される当接部材１１８が設けられている。
【００５１】
このような、止水扉２０Ｂは、端部に設けられた係止パッキン１２５を介して金属プレート１１７に当接され、当接部材１１８に位置決めされるようにして、締結部材６０により締結されることで、壁面Ｗ２（金属プレート１１７）に固定される。
【００５２】
本実施形態の止水扉２０Ａ，２０Ｂは、設置時に、概略次のようにして展開される。
はじめに、折り畳まれた状態のまま、止水扉２０Ａの把持部１２０を把持して，第１の位置にある止水扉２０Ａ，２０Ｂを手前側に一緒に引き出す。そうすると、第１実施形態と同様に、支持部材１３の上面１３ａ（図６各図参照、以下同じ）に支持されながら扉ブラケット２５が支軸１２周りに揺動し、止水扉２０Ａ，２０Ｂが床面Ｆ上に引き出される。
【００５３】
この場合、止水扉２０Ａ，２０Ｂは、ともに、浮き代Ｓ２（図５（ｂ）参照、以下同じ）を有しつつ引き出されることとなるので、床面Ｆに摺れることがなく、その結果、スムーズな揺動が実現される。
【００５４】
その後、止水扉２０Ａ，２０Ｂをさらに引き出すことで支持部材１３の上面１３ａから外れる位置（支持領域から外れる位置）に扉ブラケット２５が揺動されると、止水扉２０Ａ，２０Ｂの自重により、扉ブラケット２５の支持片２６が支持部材１３の上面１３ａから外れて切欠部１３２に落し込まれ、これに係止される。これにより、止水扉２０Ａが第２の位置に位置決めされることとなる。
その後、止水扉２０Ａの内側に折り疊まれた止水扉２０Ｂをヒンジ部５０を介して開き、止水扉２０Ａに対して止水扉２０Ｂを展開する。このとき、止水扉２０Ａおよび止水扉２０Ｂは、床面Ｆに当接しているので、展開時に止水扉２０Ｂは床面Ｆに摺れながら開かれることとなるが、止水扉２０Ｂを展開するときの負荷は、２枚の止水扉２０Ａ，２０Ｂが床面Ｆに摺れる場合に比べて軽いものであるため、展開を比較的簡単に行うことができる。
【００５５】
その後、展開した止水扉２０Ｂの端部を、締結部材６０を介して壁面Ｗ２側に固定し、壁面Ｗ２（金属プレート１１７）に止水扉２０Ｂを固定する。
これにより、ヒンジ部５０を介して止水扉２０Ａ，２０Ｂが、出入口の外側へ向けて平面視で略く字状に突出する状態に位置決めされることとなり、出入口を２枚の止水扉２０Ａ，２０Ｂで好適に止水することができる。
【００５６】
本実施形態においても、短時間で設置することができ、しかも、設置作業が簡単で浸水を十分に防止することができる止水装置が得られる。
【００５７】
なお、止水扉２０Ａ，２０Ｂを一緒に揺動する際に、支持部材１３の上面１３ａから外れる位置となる手前で、これらの揺動を一旦停止し、支持部材１３の上面１３ａ（支持領域）に扉ブラケット２５が位置している状態で、ヒンジ部５０を介して止水扉２０Ｂをある程度展開させておいてから、止水扉２０Ａとともに止水扉２０Ｂを第２の位置に揺動させてもよい。
【００５８】
図１２は第２実施形態に係る止水装置の変形例を示す図であり、（ａ）は止水扉を展開して設置した状態を示す模式平面図、（ｂ）は模式正面図、（ｃ）は模式背面図である。
この変形例では、止水扉２０Ａと止水扉２０Ｂとが、３つのヒンジ部５１〜５３からなるヒンジ手段５０Ａを介して連結されており、第２の位置に止水扉２０Ａ，２０Ｂを位置決めした状態で、各ヒンジ部５１〜５３が止水扉２０Ａ，２０Ｂの前側に位置するように構成されている点（図１２（ａ）（ｂ）参照）が異なっている。
【００５９】
止水扉２０Ａ，２０Ｂは、ヒンジ手段５０Ａを介して折畳み展開可能に連結されており、第１の位置となる壁面Ｗ１側に収容された状態では、止水扉２０Ｂの内側に止水扉２０Ａが位置するように折り畳まれている。
【００６０】
ヒンジ手段５０Ａを構成している各ヒンジ部５１〜５３は同様の構成であり、図１３（ａ）（ｂ）に示すように、止水扉２０Ａ，２０Ｂの長手方向に３つ連なるように、隣接する腕部同士を溶接等の固着手段で固着させて連結してなる。
本実施形態では、各ヒンジ部５１〜５３の揺動部５１ａ〜５３ａが、図１３（ｂ）に示すように、止水扉２０Ａ，２０Ｂの前後方向に互い違いとなるように配置されており、各ヒンジ部５１〜５３の揺動方向が、隣り合うものとの間で異なる方向となるように構成してある。
【００６１】
これにより、図１３（ａ）に示すように、止水扉２０Ａに対して止水扉２０Ｂを図中矢印Ｘ１方向に揺動させると、図１３（ｂ）に示すように、ヒンジ部５２の揺動部５２ａを頂点として、止水扉２０Ａと止水扉２０Ｂとの間に、各ヒンジ部５１〜５３が、なだらかな山形状（く字状）を形成する。そして、この状態からシール部材１２４’，１２４’同士を当接させるべく、図１３（ｂ）中、矢印Ｙ１，Ｙ２方向に止水扉２０Ａ，２０Ｂ同士が近づくように操作すると、図１３（ｃ）に示すように、真ん中のヒンジ部５２が揺動部５２ａを中心として前方へ突出するように揺動し、これによって、シール部材１２４’，１２４’同士が止水可能に当接する。
【００６２】
ここで、止水扉２０Ａ，２０Ｂの端部同士の上端部には、図１３（ｄ）に示すように、突出部１３２ａ，１３２ａがそれぞれ設けられており、この突出部１３２ａ，１３２ａに形成された挿通孔１３２ｂ，１３２ｂに対して略Ｌ字形のカンヌキ１３２ｃを挿し通すことにより、止水扉２０Ａ，２０Ｂの端部同士が開かないように固定することができるようになっている。
【００６３】
なお、壁面Ｗ２に対する止水扉２０Ｂの締結構造として、図１４（ａ）（ｂ）に示すような構造を採ることができる。すなわち、壁面Ｗ２の内側に薄板状の金属プレート１１７を介して支持部材１８１を固定し、この上面に締結部材６０’を設けて、掛金アーム６１’の先端に設けられた掛金部６１ａ’を止水扉２０Ｂ側に設けたフック部材１１９ａに係止させるように構成してもよい。
【００６４】
以上のような変形例の止水装置によれば、第１の位置となる壁面Ｗ１側に収容された状態で、止水扉２０Ｂの内側に止水扉２０Ａが位置するように折り疊まれているので、手前側にある止水扉２０Ｂをそのまま引き出して、止水扉２０Ａ，２０Ｂを揺動させ、止水扉２０Ａを第２の位置に位置決めしつつ止水扉２０Ｂを壁面Ｗ２側に係止することで止水扉２０Ａ，２０Ｂを設置することができる。
この止水装置では、例えば、第１の位置において、出入口に面している止水扉２０Ｂの内側面に、揺動操作を行うための把持部を設けてもよい。このような把持部の設けられる止水扉２０の内側面は、第２の位置に設置された状態では、止水扉２０Ｂの後面側に位置することとなるため、把持部を設けつつも、これが止水扉２０Ｂの前面に露出しない構造とすることができる。
【００６５】
なお、前記実施形態では、支持手段１０Ａを出入口の前後方向における前側に設けたが、これに限られることはなく、図１５各図に示すように、出入口の後側（後カバー４２側）に設けてもよい。
この場合においても、壁面Ｗ１側に折り畳まれた状態で、手前側に止水扉２０Ｂが配置されることとなり、展開時には、この止水扉２０Ｂをそのまま手で引き出して揺動させることにより、図１５（ａ）〜（ｃ）に示すように、床面Ｆ上に止水扉２０Ｂおよび止水扉２０Ａを展開させることができる。そして、図１５（ｄ）に示すように、止水扉２０Ｂを壁面Ｗ２に係止させて設置することができる。
【００６６】
ここで、止水扉２０Ａは、第２の位置に揺動して初めて、前記したように床面Ｆに当接することとなるので、第２の位置に止水扉２０Ａ，２０Ｂが揺動する直前まで止水扉２０Ａ，２０Ｂは、浮き代Ｓ２（図５（ｂ）参照）を有して支持部材１３の上面１３ａに支持されることとなり、これによって、スムーズな展開が実現される。
【００６７】
なお、この止水装置では、図１５（ｅ）に示すように、壁面Ｗ１と止水扉２０Ａの基端側縦材２２との間にシール部材５５を介在させて、止水効果を図ることが望ましい。
【００６８】
なお、前記各実施形態においては、支持部材１３の前部側を略Ｖ字形に切り欠くことで設けた切欠部１３２によって、扉ブラケット２５が第１の位置にあるときよりも下方に移動するように構成したが、これに限られることはなく、例えば、支持部材１３の上面１３ａが第２の位置に近づくにしたがって、階段状に低くなるように構成してもよく、また、第２の位置に向けて下り傾斜状の傾斜面を形成してもよい。
【００６９】
また、止水装置は、全体的にアルミニウム合金を用いて製造することができるが、ステンレス材や樹脂材を用いて製造することも可能である。
【符号の説明】
【００７０】
１０Ａ，１０Ｂ  支持手段
１３    支持部材
１３ａ  上面
２０Ａ  止水扉
２０Ｂ  止水扉
２１    扉体
２４，２５    扉ブラケット
２６    支持片
２８    取付部材
２８ａ  係合片
３０    係止部材
４０    カバー
５０    ヒンジ部
５０Ａ  ヒンジ手段
５１〜５３  ヒンジ部
５１ａ  揺動部
６０    締結部材
１３２  切欠部
Ｆ      床面
Ｗ１    壁面
Ｗ２    壁面
【図１】
0005632674.tif 000002
【図２】
0005632674.tif 000003
【図３】
0005632674.tif 000004
【図４】
0005632674.tif 000005
【図５】
0005632674.tif 000006
【図６】
0005632674.tif 000007
【図７】
0005632674.tif 000008
【図８】
0005632674.tif 000009
【図９】
0005632674.tif 000010
【図１０】
0005632674.tif 000011
【図１１】
0005632674.tif 000012
【図１２】
0005632674.tif 000013
【図１３】
0005632674.tif 000014
【図１４】
0005632674.tif 000015
【図１５】
0005632674.tif 000016